(57)【要約】【課題】録画した番組のうち、録画中にユーザが視聴していない部分だけを選択的に再生するようにした記録再生装置を提供する。【解決手段】記録再生装置は、再生要求に応じて記録媒体に記録されている番組を再生する際に、記憶手段に記憶されている視聴履歴情報に基づいて、当該番組の記録中に視聴されていない部分を記録再生手段によって再生させるように制御する。【選択図】  図１
2009239553.tif 000002
【特許請求の範囲】
【請求項１】
放送された番組を記録し、記録した番組を再生する記録再生装置において、
前記番組の記録指定および前記記録した番組の再生指定を行う操作手段と、
放送された番組を受信する受信手段と、
前記受信手段により受信した番組のうち前記操作手段により指定された番組を記録媒体に対して記録し、前記操作手段により前記記録した番組の再生指定がされると該番組の再生を行う記録再生手段と、
前記記録再生手段により再生された番組および／または前記受信手段により受信した番組を表示する表示手段と、
前記記録媒体に記録中の番組と同じ番組が前記表示手段に表示されると、当該番組の視聴履歴情報を記憶する記憶手段と、
前記操作手段による再生要求に応じて前記記録媒体に記録されている番組を再生する際に、前記記憶手段に記憶されている視聴履歴情報に基づいて、当該番組の記録中に前記表示手段に表示されない部分を前記記録再生手段に再生させる制御手段と、
を備えたことを特徴する記録再生装置。
【請求項２】
記録中の番組と前記表示手段に表示されている番組とが一致するか否か判定する判定手段を備え、該判定手段は、前記記録中の番組と前記表示手段に表示されている番組とが一致しているか否かを判定することを特徴とする請求項１に記載の記録再生装置。
【請求項３】
前記視聴履歴情報は、番組の視聴開始位置と視聴停止位置であることを特徴とする請求項１または請求項２に記載の記録再生装置。
【発明の詳細な説明】
【技術分野】
【０００１】
本発明は、受信した放送番組を記録または再生することができる記録再生装置に関するものであり、特に、記録中の番組を視聴している途中で視聴を中断した際に、視聴を停止した位置からの続きの番組を再生するようにした記録再生装置に関するものである。
【背景技術】
【０００２】
近年、車載用電子機器の性能は飛躍的に向上し、多機能化が進んでいる。特に、近年になって普及し始めた地上デジタル放送を受信し、ＬＣＤ等の表示装置を用いて表示するテレビ放送受信機能を備えた車載用電子機器も広く普及している。
【０００３】
また、ハードディスクなどの大容量の記憶媒体に受信したテレビ番組を録画して再生する録画再生機能を備えた車載用電子機器の商品化も進んできており、この録画再生機能を利用するユーザの操作性を向上させる技術が様々に提案されている。
【０００４】
例えば、下記の特許文献１（特開２００３−１１１００４号公報）には、番組視聴処理中に着信が生じて通話を開始したときに、視聴中の番組データをメモリカードなどに録画する処理を開始し、通話が終了すると、録画処理を続行しつつメモリカードからデータを読み出し、通話開始時点の映像から追っかけて番組を再生する技術が開示されている。これにより、電話による通話のために視聴中の番組で見られなかった部分が生じても、その部分については内蔵メモリへの録画処理が実行されていることになるので、後で視聴すること可能となる。
【０００５】
また、下記の特許文献２（特開平１１−３３９３９６号公報）には、ディスクに記録されている情報の再生を途中で停止した場合に、ディスクの種類及びディスクの再生停止位置の情報を記憶する技術が開示されている。これにより、一度別のディスクを再生してからでも続きの映像を簡単な操作で見ることができる。
【特許文献１】特開２００３−１１１００４号公報（段落［００２５］、図４）
【特許文献２】特開平１１−３３９３９６号公報（段落［００６０］〜［００６５］）
【発明の開示】
【発明が解決しようとする課題】
【０００６】
ところで、上記の特許文献１や特許文献２の再生処理においては、視聴中や再生中に視聴を中止した場合に、そのポイントを記録しておき、次回再生開始時にそのポイントをシーン呼び出しに利用するものの、録画中に同じ番組を部分的に視聴した後で録画番組を視聴する場合、視聴していないシーンだけを自動的に呼び出すことができないため、ユーザは最初から最後まで早送りしながら視聴していないシーンを探さなければならず、ユーザが視聴したいシーンを容易に得ることができないという問題点があった。
【０００７】
本願の発明者は上記の問題点を解消すべく種々検討を重ねた結果、録画中に番組をどこまで視聴していたかという情報を記録し、録画番組の再生時にその情報を利用してシーン検索するようになせば、上記の問題点を解消し得ることを想到し本発明を完成するに至ったものである。
【０００８】
すなわち、本発明は、上記の問題点を解消することを課題とし、録画した番組のうち、録画中にユーザが視聴していない部分だけを選択的に再生するようにした記録再生装置を提供することを目的とするものである。
【課題を解決するための手段】
【０００９】
前記課題を解決するために、本願の請求項１にかかる発明は、
放送された番組を記録し、記録した番組を再生する記録再生装置において、
前記番組の記録指定および前記記録した番組の再生指定を行う操作手段と、
放送された番組を受信する受信手段と、
前記受信手段により受信した番組のうち前記操作手段により指定された番組を記録媒体に対して記録し、前記操作手段により前記記録した番組の再生指定がされると該番組の再生を行う記録再生手段と、
前記記録再生手段により再生された番組および／または前記受信手段により受信した番組を表示する表示手段と、
前記記録媒体に記録中の番組と同じ番組が前記表示手段に表示されると、当該番組の視聴履歴情報を記憶する記憶手段と、
前記操作手段による再生要求に応じて前記記録媒体に記録されている番組を再生する際に、前記記憶手段に記憶されている視聴履歴情報に基づいて、当該番組の記録中に前記表示手段に表示されない部分を前記記録再生手段に再生させる制御手段と、
を備えたことを特徴する。
【００１０】
また、本願の請求項２にかかる発明は、請求項１にかかる記録再生装置において、記録中の番組と前記表示手段に表示されている番組とが一致するか否か判定する判定手段を備え、該判定手段は、前記記録中の番組と前記表示手段に表示されている番組とが一致しているか否かを判定することを特徴とする。
【００１１】
また、本願の請求項３にかかる発明は、請求項１または請求項２にかかる記録再生装置において、前記視聴履歴情報は、番組の視聴開始位置と視聴停止位置であることを特徴とする。
【発明の効果】
【００１２】
請求項１にかかる発明においては、記録再生装置は、前記操作手段による再生要求に応じて前記記録媒体に記録されている番組を再生する際に、前記記憶手段に記憶されている視聴履歴情報に基づいて、当該番組の記録中に前記表示手段に表示されない部分を前記記録再生手段に再生させる。
【００１３】
このような構成によれば、記録媒体に記録された番組を再生する際に、視聴履歴情報に基づいて、ユーザが番組記録中に視聴した部分を省略して再生することが可能である。このため、ユーザは録画された番組を効率的に視聴することができるので、ユーザにとって利便性が向上する。
【００１４】
また、請求項２にかかる発明のおいては、請求項１にかかる記録再生装置において、判定手段は、前記記録中の番組と前記表示手段に表示されている番組とが一致しているか否かを判定する。
【００１５】
このような構成によれば、ユーザが番組記録中に番組の視聴を行うと、記録中の番組と視聴中の番組とが同じか否か判定し、同じ番組を視聴している場合には、その視聴履歴を残すことができるため、記録媒体に記録された番組を再生する際に、その視聴履歴情報に基づいて、ユーザが番組記録中に視聴した部分を省略して再生することが可能である。このため、ユーザは録画された番組を効率的に視聴することができるので、ユーザにとって利便性が向上する。
【００１６】
また、請求項３にかかる発明のおいては、請求項１または請求項２にかかる記録再生装置において、前記視聴履歴情報は、番組の視聴開始位置と視聴停止位置とする。
【００１７】
このような構成によれば、ユーザが記録中の番組と同じ番組を視聴すると、その視聴開始位置と視聴停止位置を視聴履歴として残すことができるため、記録媒体に記録された番組を再生する際に、その視聴履歴情報に基づいて、ユーザが番組記録中に視聴した部分を省略して再生することが可能である。このため、ユーザは録画された番組を効率的に視聴することができるので、ユーザにとって利便性が向上する。
【発明を実施するための最良の形態】
【００１８】
以下、本発明の具体例を実施例及び図面を用いて詳細に説明する。但し、以下に示す実施例は、本発明の技術思想を具体化するための記録再生装置を例示するものであって、本発明をこの記録再生装置に特定することを意図するものではなく、特許請求の範囲に含まれるその他の実施形態の記録再生装置にも等しく適用し得るものである。
【実施例】
【００１９】
図１は、本発明の実施例にかかる車載用記録再生装置１０の構成を示すブロック図である。
【００２０】
なお、制御部１１は本発明の記憶手段および制御手段に相当し、録画機能部１２は本発明の受信手段および記録再生手段に相当し、番組一致検出手段１５は本発明の判定手段に相当する。
【００２１】
また、本実施例は車載用の記録再生装置を示すものであるが、放送受信機能を有する携帯電話機や携帯ゲーム機などの携帯型の記録再生装置あるいは屋内に設置される固定型の記録再生装置であってもよい。
【００２２】
制御部１１は、マイクロプロセッサを中心に構成され、一般的なコンピュータ装置と同様にＲＯＭ１１ａ、ＲＡＭ１１ｂなどのメモリを備えている。ＲＯＭ１１ａには各部動作を制御するプログラムを記憶しており、ＲＡＭ１１ｂには制御部１１の動作に必要な情報を記憶する。
【００２３】
録画機能部１２は、放送局から送信された地上デジタル放送を受信し、録画指示があると受信した番組を記憶し、または再生指示があると録画した番組を再生する機能を備え、第１チューナー１２ａ、第２チューナー１２ｂ、番組記憶手段１２ｃ、録画再生手段１２ｄとを有する構成である。第１チューナー１２ａおよび第２チューナー１２ｂは本発明の受信手段に相当し、録画再生手段１２ｄは本発明の記録再生手段に相当する。
【００２４】
第１チューナー１２ａは、放送局から送信された地上デジタル放送を受信することができるデジタルチューナーであり、入力手段１３を介して録画予約指示があれば、予約指示されたテレビ番組の放送を受信する。
【００２５】
第２チューナー１２ｂは、放送局から送信された地上デジタル放送を受信することができるデジタルチューナーであり、入力手段１３を介してテレビ視聴要求があれば要求されたテレビ番組の放送を受信する。
【００２６】
各チューナーは、それぞれアンテナを介して地上デジタル放送を受信することができるため、本実施例の記録再生装置１０は、第１チューナー１２ａを用いて受信されたデジタル放送を録画しながら、第２チューナー１２ｂを用いて受信されたデジタル放送を同時に視聴することが可能である。
【００２７】
番組記憶手段１２ｃは、後述する入力手段１３から録画指示があったとき第１チューナー１２ａが受信した番組を記憶するための記憶媒体である。好ましくは大容量の記憶容量を有するハードディスクが用いられる。
【００２８】
録画再生手段１２ｄは、入力手段１３を介して録画要求がなされると、録画要求がなされた番組を第１チューナー１２ａにて受信し、番組記憶手段１２ｃに対して受信番組の番組録画を行い、入力手段１３により番組記憶手段１２ｃに録画された番組の再生要求がなされると要求された番組の再生を行う。
【００２９】
第１チューナー１２ａや第２チューナー１２ｂを介して受信された地上デジタル放送のデジタルテレビ信号（映像信号や音声信号など）や録画再生手段１２ｄによって再生されたデジタルテレビ信号（映像信号や音声信号など）は制御部１１に入力される。
【００３０】
入力手段１３は、装置の電源ＯＮ／ＯＦＦ等の操作入力や、ユーザが視聴する番組や放送局の選局、録画予約や録画開始等の指示を記録再生装置に対して行なうための入力用インターフェースであり、後述する表示手段１４の表示画面上に表示されたタッチパネル式ボタンアイコン等により構成されている。タッチパネルは、表示手段１４の表示面に設けられ、表示面の任意の位置における指などの押圧あるいは接触を検出して位置検出信号を生成し、その位置検出信号を制御部１１に対して動作制御信号として出力する。ユーザは表示画面上に表示されるボタンアイコンをタッチすることにより、所望の放送局の番組を視聴、録画、再生を指示することが可能である。入力手段１３は本発明の操作手段に相当する。
【００３１】
表示手段１４は、制御部１１によってデジタルテレビ信号に含まれる映像信号から生成された映像データを処理して表示するための装置であり、例えばＬＣＤ（液晶表示装置）や有機ＥＬＤ等の表示装置から構成される。また、表示手段１４には、各種データ放送や電子番組表が表示される。
【００３２】
番組一致検出手段１５は、録画中にテレビ視聴を検出すると、視聴中の番組が録画中の番組と一致するか否かを検出するものである。詳細には、番組一致検出手段１５は、第１チューナー１２ａを介して受信され現在録画中の番組のデジタルテレビ信号と、第２チューナー１２ｂを介して受信され現在表示手段１４に表示中の番組のデジタルテレビ信号を比較することで視聴中の番組が録画中の番組と一致するか否か検出するものである。検出結果は制御部１１を介してＴＶ視聴停止・開始位置検出手段１６に出力される。なお、以下の実施例において、表示手段１４に表示中の番組を視聴中の番組とした記載を用いる。
【００３３】
ＴＶ視聴停止・開始位置検出手段１６は、番組一致検出手段１５により録画中番組と視聴中番組とが一致したことが検出されると、視聴中の番組を常時監視し、録画中にこの視聴中番組が他の番組に切り替えられたり、この視聴中番組の視聴が停止されたりすると、その切り替え位置または停止位置を検出し、録画中の番組と対応付けてＲＡＭ１１ｂに記憶させる。また、録画中の番組と同じ番組視聴が再度開始されると、その開始位置を検出し、録画中の番組と対応付けてＲＡＭ１１ｂに記憶させる。
【００３４】
また、本実施例のＲＡＭ１１ｂは、ＴＶ視聴停止・開始位置検出手段１６によって検出された、録画中の番組の視聴が停止された視聴停止位置や再度録画中の番組の視聴が開始された視聴開始位置からなる視聴停止期間の位置などの視聴履歴情報を録画中の番組に対応付けて記憶する。ＲＡＭ１１は本発明の記憶手段に相当する。
【００３５】
図４は、番組録画中の番組視聴動作および番組録画後の番組再生動作を説明するための模式図である。すなわち、制御部１１は、入力手段１３を介してユーザから所望のテレビ番組（ここでは、番組内容がＰ１，Ｐ２，Ｐ３，およびＰ４からなるテレビ番組）の録画要求がなされると、録画再生手段１２ｄを制御することにより所定のタイミングで第１チューナー１２ａにて受信されたテレビ番組を番組記憶手段１２ｃへ録画する。
【００３６】
そして、録画中の番組Ｐ２が始まるタイミングで第２チューナー１２ｂを用いてこの番組の視聴が開始されると、制御部１１によって制御された番組一致検出手段１５にて、録画中の番組と視聴中の番組とが一致することが検出されるため、ＴＶ視聴停止・開始位置検出手段１６にて視聴中の番組が常時監視される。
【００３７】
その後、番組Ｐ２が終わるタイミングで一旦視聴が停止されると、制御部１１によって制御されたＴＶ視聴停止・開始位置検出手段１６によって、番組の視聴が停止された位置が検出され、検出された位置が視聴履歴情報として録画中の番組に対応付けてＲＡＭ１１ｂに記憶される。
【００３８】
さらに、再び録画中の番組Ｐ４が始まるタイミングで視聴が開始されると、制御部１１によって制御されたＴＶ視聴停止・開始位置検出手段１６によって、番組の視聴が開始された位置が検出され、検出された位置が視聴履歴情報として録画中の番組に対応付けてＲＡＭ１１ｂに記憶される。ＲＡＭ１１ｂには、先の番組視聴の停止位置から番組視聴の再開位置までを視聴停止期間として記憶されることになる。
【００３９】
したがって、録画終了後の所定のタイミングで番組記憶手段１２ｃに録画されたテレビ番組の再生要求があると、制御部１１は、録画再生手段１２ｄにおいて番組記憶手段１２ｃに記憶された録画番組のうちＲＡＭ１１ｂに記憶されている視聴停止期間に対応する番組部分Ｐ３の再生を行うように制御する。
【００４０】
次に、本発明にかかる記録再生装置の録画再生動作について説明する。
【００４１】
先ず、本発明にかかる記録再生装置の録画動作について説明する。
【００４２】
図２は、本実施例にかかる記録再生装置の録画動作を示すフローチャートである。なお、図２に示す動作は制御部１１に備えられたＲＯＭ１１ａに記憶されている制御プログラムを実行することで実現される。
【００４３】
まず、ステップＳ２０１の処理において、制御部１１は、入力手段１３を介してユーザから所望のテレビ番組の録画要求がなされると、録画再生手段１２ｄを制御することにより、第１チューナー１２ａにおいて受信された所定番組の番組記憶手段１２ｃへの録画を開始する。
【００４４】
そして、ステップＳ２０２の処理において、制御部１１により入力手段１３を介してユーザから所望のテレビ番組の視聴要求がなされたか否かの判断がなされる。制御部１１は視聴要求がなされないと判別した場合には（ステップＳ２０２：Ｎｏ）、ステップＳ２０３に進み、一方、視聴要求がなされたと判別した場合には（ステップＳ２０２：Ｙｅｓ）、ステップＳ２０４に進む。
【００４５】
そして、ステップＳ２０４の処理では、制御部１１によって制御された番組一致検出手段１５にて、録画中の番組と視聴中の番組とが一致するか否かの判断がなされる。制御部１１は、番組が一致していると判別した場合には（ステップＳ２０４：Ｙｅｓ）、ステップＳ２０５に進み、一方、番組が一致していないと判別した場合には（ステップＳ２０４：Ｎｏ）、ステップＳ２０３に進む。
【００４６】
ステップＳ２０３の処理では、制御部１１によって制御された録画再生手段１２ｄにて、所定番組の番組記憶手段１２ｃへの録画が終了したか否かの判断がなされる。制御部１１は、録画が終了していないと判別した場合には（ステップＳ２０３：Ｎｏ）、ステップＳ２０２の処理に戻って処理を繰り返し、録画が終了したと判別した場合には（ステップＳ２０３：Ｙｅｓ）、処理を終了する。
【００４７】
一方、ステップＳ２０５の処理では、制御部１１によって制御されたＴＶ視聴停止・開始位置検出手段１６にて視聴中の番組が常時監視され、録画中の番組と同じ番組の視聴が停止されたり、視聴中の番組が他の番組に切り替えられたりしたか否かの判断がなされ、視聴停止あるいは番組切り替えがなされないと判別した場合には（ステップＳ２０５：Ｎｏ）、ステップＳ２０６に進み、一方、視聴停止あるいは番組切り替えがなされたと判別した場合には（ステップＳ２０５：Ｙｅｓ）、ステップＳ２０７に進む。
【００４８】
そして、ステップＳ２０６の処理では、制御部１１によって制御された録画再生手段１２ｄにて、所定番組の番組記憶手段１２ｃへの録画が終了したか否かの判断がなされる。制御部１１は、録画が終了していないと判別した場合には（ステップＳ２０６：Ｎｏ）、ステップＳ２０５の処理に戻って処理を繰り返し、録画が終了したと判別した場合には（ステップＳ２０６：Ｙｅｓ）、処理を終了する。
【００４９】
また、ステップＳ２０７の処理では、制御部１１によって制御されたＴＶ視聴停止・開始位置検出手段１６にて、録画中の番組と同じ番組の視聴が停止されたり、視聴中の番組が他の番組に切り替えられたりした位置が検出され、検出された位置を視聴履歴情報として録画中の番組に対応付けてＲＡＭ１１ｂに記憶し、ステップＳ２０８に進む。
【００５０】
そして、ステップＳ２０８の処理において、制御部１１によって制御されたＴＶ視聴停止・開始位置検出手段１６にて、録画中の番組と同じ番組視聴が再度開始されたか否かの判断がなされる。制御部１１は再度視聴が開始されないと判別した場合には（ステップＳ２０８：Ｎｏ）、ステップＳ２０９に進み、一方、再度視聴が開始されたと判別した場合には（ステップＳ２０８：Ｙｅｓ）、ステップＳ２１１に進む。
【００５１】
そして、ステップＳ２０９の処理では、制御部１１によって制御された録画再生手段１２ｄにて、所定番組の番組記憶手段１２ｃへの録画が終了したか否かの判断がなされる。制御部１１は、録画が終了していないと判別した場合には（ステップＳ２０９：Ｎｏ）、ステップＳ２０８の処理に戻って処理を繰り返し、録画が終了したと判別した場合には（ステップＳ２０９：Ｙｅｓ）、ステップＳ２１０に進む。ステップＳ２１０の処理では、録画終了の位置を録画中の番組に対応付けてＲＡＭ１１ｂに記憶し、処理を終了する。
【００５２】
一方、ステップＳ２１１の処理では、制御部１１によって制御されたＴＶ視聴停止・開始位置検出手段１６にて、録画中の番組と同じ番組の視聴が開始された位置が検出され、検出された位置を視聴履歴情報として録画中の番組に対応付けてＲＡＭ１１ｂに記憶し、ステップＳ２１２に進む。
【００５３】
ステップＳ２１２の処理では、制御部１１によって制御された録画再生手段１２ｄにて、所定番組の番組記憶手段１２ｃへの録画が終了したか否かの判断がなされる。制御部１１は、録画が終了していないと判別した場合には（ステップＳ２１２：Ｎｏ）、ステップＳ２０５の処理に戻って処理を繰り返し、録画が終了したと判別した場合には（ステップＳ２１２：Ｙｅｓ）、処理を終了する。
【００５４】
次に、本発明にかかる記録再生装置の再生動作について説明する。
【００５５】
図３は、本実施例にかかる記録再生装置の再生動作を示すフローチャートである。なお、図３に示す動作は制御部１１に備えられたＲＯＭ１１ａに記憶されている制御プログラムを実行することで実現される。
【００５６】
まずステップＳ３１の処理において、入力手段３１を介してユーザから録画された番組の再生要求があったか否かの判断がなされる。制御部１１は、ユーザからの再生要求がなかったと判別した場合には（ステップＳ３１：Ｎｏ）、再生要求があるまでこの操作を繰り返し、再生要求があったと判別した場合には（ステップＳ３１：Ｙｅｓ）、ステップＳ３２に進む。
【００５７】
ステップＳ３２の処理では、制御部１１によりＲＡＭ１１ｂに記憶された番組の視聴停止位置や視聴開始位置などの視聴履歴情報が参照されて、再生要求がなされた録画番組に視聴停止期間があるか否かの判断がなされる。制御部１１は、再生する番組に視聴停止期間があると判別した場合には（ステップＳ３２：Ｙｅｓ）、ステップＳ３３に進み、一方、再生する番組に視聴停止期間がないと判別した場合には（ステップＳ３２：Ｎｏ）、ステップＳ３４に進む。
【００５８】
そして、ステップＳ３３の処理において、制御部１１は、録画再生手段１２ｄを制御することによって、番組記憶手段１２ｃに記憶された録画番組のうちＲＡＭ１１ｂに記憶されている視聴停止期間に対応する番組部分の再生を行い、ステップＳ３５に進む。一方、ステップＳ３４の処理において、制御部１１は、番組記憶手段１１ｃに記憶された録画番組の再生を通常どおり録画が開始された最初から行い、ステップＳ３５に進む。
【００５９】
次に、ステップＳ３５の処理において、制御部１１によって制御された録画再生手段１２ｄにて、番組記憶手段１２ｃに記憶された録画番組の再生が終了したか否かの判断がなされる。録画再生手段１２ｄは、再生すべき番組が残っていると判別した場合には（ステップＳ３５：Ｎｏ）、視聴停止期間の終わりあるいは録画番組の終わりまでこの操作を繰り返し、再生すべき番組が無くなったと判別した場合には（ステップＳ３１：Ｙｅｓ）、処理を終了する。
【００６０】
なお、上記実施例では、視聴履歴情報として、番組視聴が停止された視聴停止位置と番組視聴が再開された視聴開始位置とを記憶する例について説明したが、これに限ることはなく、録画の途中から初めて番組視聴を開始する最初の視聴開始位置を記憶し、録画開始位置から最初の視聴開始位置までの期間（図４の番組Ｐ１を録画している期間）についても、視聴停止期間として本発明を同様に適用することができる。
【００６１】
また、上記実施例では、放送番組の記録再生として、地上デジタル放送を録画再生する場合について説明したが、これに限ることはなく、音声のみの放送を録音再生する場合にも本発明を同様に適用することができる。
【００６２】
以上説明したように本発明にかかる記録再生装置によれば、記録中の番組を同時に視聴しているときに、ＣＤなどの他のＡＶソースの起動もしくは記録再生装置の電源ＯＦＦ、記録再生装置を載せた車のエンジン停止などにより番組視聴を停止すると、その停止ポイントを記憶しておき、記録された番組の再生時に記憶しておいたポイントを呼び出すことよって視聴を停止したポイントから再生することが可能である。
【００６３】
また、本発明にかかる記録再生装置によれば、記録中に再度視聴が開始されると、その開始ポイントを記憶しておくことにより、ユーザにより再生要求があると、停止ポイントから開始ポイントまでの視聴していない区間のみを再生することが可能である。
【図面の簡単な説明】
【００６４】
【図１】本発明の実施例にかかる記録再生装置の構成を示すブロック図である。
【図２】本発明の実施例にかかる記録再生装置の録画動作を示すフローチャートである。
【図３】本発明の実施例にかかる記録再生装置の再生動作を示すフローチャートである。
【図４】本発明の実施例にかかる番組録画中の番組視聴動作および番組録画後の番組再生動作を説明するための模式図である。
【符号の説明】
【００６５】
１０・・・・記録再生装置
１１・・・・制御部
１１ａ・・・ＲＯＭ
１１ｂ・・・ＲＡＭ
１２・・・・録画機能部
１２ａ・・・第１チューナー
１２ｂ・・・第２チューナー
１２ｃ・・・番組記憶手段
１２ｄ・・・録画再生手段
１３・・・・入力手段
１４・・・・表示手段
１５・・・・番組一致検出手段
１６・・・・ＴＶ視聴停止・開始位置検出手段
【図１】
2009239553.tif 000003
【図２】
2009239553.tif 000004
【図３】
2009239553.tif 000005
【図４】
2009239553.tif 000006